(57)【要約】【課題】映像ストリームの再生前に３Ｄ映像コンテンツまたは２Ｄ映像コンテンツの判別を可能にする、記録装置、再生装置、記録再生システム、記録媒体およびプログラムを提供する。【解決手段】映像ストリームを取得する取得部（チューナ１１、復調器１３）と、取得した映像ストリームを参照し、３次元映像コンテンツと２次元映像コンテンツの間の切替えを指示する切替指示を検出する切替指示検出部２５と、検出した切替指示に基づき、映像ストリーム中における３次元映像コンテンツと２次元映像コンテンツの間の切替えを示す切替情報を生成する切替情報生成部（ＣＰＵ２７）と、取得した映像ストリームに関連付けて切替情報を記録する記録部（ＢＤドライブ１７）とを備える。【選択図】図２
2011254239.tif 000002
【特許請求の範囲】
【請求項１】
映像ストリームを取得する取得部と、
前記取得した映像ストリームを参照し、３次元映像コンテンツと２次元映像コンテンツの間の切替えを指示する切替指示を検出する切替指示検出部と、
前記検出した切替指示に基づき、前記映像ストリーム中における３次元映像コンテンツと２次元映像コンテンツの間の切替えを示す切替情報を生成する切替情報生成部と、
前記取得した映像ストリームに関連付けて前記切替情報を記録する記録部と
を備える記録装置。
【請求項２】
前記切替情報は、３次元映像コンテンツと２次元映像コンテンツの間の切替時点を、前記映像ストリームのパケット番号またはタイムスタンプにより特定するタイミング情報を含む、請求項１に記載の記録装置。
【請求項３】
前記切替情報は、前記再生制御情報に含まれるユーザ拡張領域に記録される、請求項１に記載の記録装置。
【請求項４】
前記切替情報は、前記映像ストリーム中の映像データを参照せずに３次元映像コンテンツと２次元映像コンテンツを切替えた再生が可能となるように、前記映像ストリームの再生制御情報として記録される、請求項１に記載の記録装置。
【請求項５】
映像ストリームと、前記映像ストリームの記録時に前記映像ストリームを参照して検出された切替情報を記録装置から取得する取得部と、
前記取得した映像ストリームを再生する再生部と、
前記映像ストリーム中における３次元映像コンテンツと２次元映像コンテンツの間の切替えを示す切替情報に基づき、前記取得した映像ストリームの再生を制御する再生制御部と
を備える再生装置。
【請求項６】
前記切替情報に基づき、３次元映像コンテンツと２次元映像コンテンツの間の切替えをユーザに通知する通知部をさらに備える、請求項５に記載の再生装置。
【請求項７】
前記再生制御部は、前記切替情報に基づき、前記映像ストリーム中における３次元映像コンテンツと２次元映像コンテンツの間を切替えるために必要な処理を事前に行う、請求項５に記載の再生装置。
【請求項８】
前記再生制御部は、前記切替情報により指定される３次元映像コンテンツの表示方式に基づき３次元映像コンテンツを再生するように、前記映像ストリームの再生を制御する、請求項５に記載の再生装置。
【請求項９】
前記再生制御部は、前記切替情報に基づき前記映像ストリーム中における３次元映像コンテンツおよび２次元映像コンテンツのうちいずれか一方を再生するように、前記映像ストリームの再生を制御する、請求項５に記載の再生装置。
【請求項１０】
前記再生制御部は、前記映像ストリーム中におけるコンテンツ種別の比率に基づき、前記映像ストリーム中における３次元映像コンテンツおよび２次元映像コンテンツのうちいずれか一方を再生するように、前記映像ストリームの再生を制御する、請求項９に記載の再生装置。
【請求項１１】
映像ストリームを取得する取得部と、前記取得した映像ストリームを参照し、３次元映像コンテンツと２次元映像コンテンツの間の切替えを指示する切替指示を検出する切替指示検出部と、前記検出した切替指示に基づき、前記映像ストリーム中における３次元映像コンテンツと２次元映像コンテンツの間の切替えを示す切替情報を生成する切替情報生成部と、前記取得した映像ストリームに関連付けて前記切替情報を記録する記録部とを備える記録装置と、
互いに関連付けて記録されている前記映像ストリームと前記切替情報を前記記録装置から取得する取得部と、前記取得した映像ストリームを再生する再生部と、前記切替情報に基づき、前記取得した映像ストリームの再生を制御する再生制御部とを備える再生装置と
を有する記録再生システム。
【請求項１２】
映像ストリーム中の映像データを参照せずに３次元映像コンテンツと２次元映像コンテンツを切替えた再生を可能とするために、前記映像コンテンツの間の切替えを示す情報として、前記映像ストリームの記録時に前記映像ストリームを参照して検出された切替情報を、前記映像ストリームに関連付けて記録している記録媒体。
【請求項１３】
映像ストリームを取得するステップと、
前記取得した映像ストリームを参照し、３次元映像コンテンツと２次元映像コンテンツの間の切替えを指示する切替指示を検出するステップと、
前記検出した切替指示に基づき、前記映像ストリーム中における３次元映像コンテンツと２次元映像コンテンツの間の切替えを示す切替情報を生成するステップと、
前記取得した映像ストリームに関連付けて切替情報を記録するステップと
を含む記録方法をコンピュータに実行させるためのプログラム。
【請求項１４】
映像ストリームと、前記映像ストリームの記録時に前記映像ストリームを参照して検出された切替情報を記録装置から取得するステップと、
前記取得した映像ストリームを再生するステップと、
前記再生するステップにおいて、前記映像ストリーム中における３次元映像コンテンツと２次元映像コンテンツの間の切替えを示す前記切替情報に基づき、前記取得した映像ストリームの再生を制御するステップと
を含む再生方法をコンピュータに実行させるためのプログラム。
【発明の詳細な説明】
【技術分野】
【０００１】
本発明は、記録装置、再生装置、記録再生システムおよびプログラムに関する。
【背景技術】
【０００２】
近年、デジタル放送では、３次元（３Ｄ：three dimension）映像コンテンツと通常の２次元（２Ｄ：two
dimension）映像コンテンツが混在したＡＶストリームを用いて、放送が行われている。そして、３Ｄ映像コンテンツは、２Ｄ映像コンテンツとともにＢＤ−ＲＥ（Ｂｌｕ−ｒａｙ  Ｄｉｓｃ  Ｒｅｗｒｉｔａｂｌｅ）規格等に基づきブルーレイディスク等の記録媒体に記録され、再生利用されている。
【発明の概要】
【発明が解決しようとする課題】
【０００３】
しかし、現状、ＡＶストリームの再生は、記録されたコンテンツのコンテンツ種別（３Ｄ映像コンテンツまたは２Ｄ映像コンテンツ）を特定しながら行われている。これは、従来、コンテンツ種別は、ＡＶストリーム中の映像データを参照しないと判別することができないためである。このため、ＡＶストリームの再生前において、再生装置は、３Ｄ映像コンテンツの再生に必要な制御を事前に行うことができず、ユーザは、３Ｄ映像コンテンツの視聴に必要な準備を事前に行うことができなかった。
【０００４】
そこで、本発明は、映像ストリームの再生前に３Ｄ映像コンテンツまたは２Ｄ映像コンテンツの判別を可能にする、記録装置、再生装置、記録再生システム、記録媒体およびプログラムを提供しようとするものである。
【課題を解決するための手段】
【０００５】
本発明の第１の観点によれば、映像ストリームを取得する取得部と、取得した映像ストリームを参照し、３次元映像コンテンツと２次元映像コンテンツの間の切替えを指示する切替指示を検出する切替指示検出部と、検出した切替指示に基づき、映像ストリーム中における３次元映像コンテンツと２次元映像コンテンツの間の切替えを示す切替情報を生成する切替情報生成部と、取得した映像ストリームに関連付けて切替情報を記録する記録部とを備える記録装置が提供される。
【０００６】
切替情報は、３次元映像コンテンツと２次元映像コンテンツの間の切替時点を、映像ストリームのパケット番号またはタイムスタンプにより特定するタイミング情報を含んでもよい。
【０００７】
切替情報は、再生制御情報に含まれるユーザ拡張領域に記録されてもよい。
【０００８】
切替情報は、映像ストリーム中の映像データを参照せずに３次元映像コンテンツと２次元映像コンテンツを切替えた再生が可能となるように、映像ストリームの再生制御情報として記録されてもよい。
【０００９】
また、本発明の第２の観点によれば、映像ストリームと、映像ストリームの記録時に映像ストリームを参照して検出された切替情報を記録装置から取得する取得部と、取得した映像ストリームを再生する再生部と、映像ストリーム中における３次元映像コンテンツと２次元映像コンテンツの間の切替えを示す切替情報に基づき、取得した映像ストリームの再生を制御する再生制御部とを備える再生装置が提供される。
【００１０】
切替情報に基づき、３次元映像コンテンツと２次元映像コンテンツの間の切替えをユーザに通知する通知部をさらに備えてもよい。
【００１１】
再生制御部は、切替情報に基づき、映像ストリーム中における３次元映像コンテンツと２次元映像コンテンツの間を切替えるために必要な処理を事前に行ってもよい。
【００１２】
再生制御部は、切替情報により指定される３次元映像コンテンツの表示方式に基づき３次元映像コンテンツを再生するように、映像ストリームの再生を制御してもよい。
【００１３】
再生制御部は、切替情報に基づき映像ストリーム中における３次元映像コンテンツおよび２次元映像コンテンツのうちいずれか一方を再生するように、映像ストリームの再生を制御してもよい。
【００１４】
再生制御部は、映像ストリーム中におけるコンテンツ種別の比率に基づき、映像ストリーム中における３次元映像コンテンツおよび２次元映像コンテンツのうちいずれか一方を再生するように、映像ストリームの再生を制御してもよい。
【００１５】
また、本発明の第３の観点によれば、本発明の第１の観点による記録装置と第２の観点による再生装置を有する記録再生システムが提供される。
【００１６】
また、本発明の第４の観点によれば、映像ストリーム中の映像データを参照せずに３次元映像コンテンツと２次元映像コンテンツを切替えた再生を可能とするために、映像コンテンツの間の切替えを示す情報として、映像ストリームの記録時に映像ストリームを参照して検出された切替情報を、映像ストリームに関連付けて記録している記録媒体が提供される。
【００１７】
また、本発明の第５の観点によれば、映像ストリームを取得するステップと、取得した映像ストリームを参照し、３次元映像コンテンツと２次元映像コンテンツの間の切替えを指示する切替指示を検出するステップと、検出した切替指示に基づき、映像ストリーム中における３次元映像コンテンツと２次元映像コンテンツの間の切替えを示す切替情報を生成するステップと、取得した映像ストリームに関連付けて切替情報を記録するステップとを含む記録方法をコンピュータに実行させるためのプログラムが提供される。
【００１８】
また、本発明の別の観点によれば、互いに関連付けて記録されている映像ストリームと切替情報を記録装置から取得するステップと、取得した映像ストリームを再生するステップと、再生するステップにおいて、映像ストリーム中における３次元映像コンテンツと２次元映像コンテンツの間の切替えを示す切替情報に基づき、取得した映像ストリームの再生を制御するステップとを含む再生方法をコンピュータに実行させるためのプログラムが提供される。
【発明の効果】
【００１９】
以上説明したように本発明によれば、映像ストリームの再生前に３Ｄ映像コンテンツまたは２Ｄ映像コンテンツの判別を可能にする、記録装置、再生装置、記録再生システム、記録媒体およびプログラムを提供することができる。
【図面の簡単な説明】
【００２０】
【図１】本発明の一実施形態に係るＡＶシステムを示す図である。
【図２】本発明の一実施形態に係るＡＶシステムの構成を示すブロック図である。
【図３】ＢＤＡＶフォーマットのディレクトリ、ファイル構成を示す図である。
【図４】ＢＤＡＶフォーマットのデータファイルの相関関係を示す図である。
【図５】本発明の一実施形態に係る記録再生方法の手順を示すフロー図である。
【図６】ＡＶＣＨＤフォーマットのディレクトリ、ファイル構成を示す図である。
【図７】ＡＶＣＨＤフォーマットのデータファイルの相関関係を示す図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
［１．記録再生システムの構成］
まず、図１および図２を参照して、本発明の一実施形態に係る記録再生システムの構成について説明する。
【００２３】
図１は、本発明の一実施形態としてのＡＶシステムの概要を示している。ＡＶシステムは、記録再生装置１と映像音声出力装置３からなる。記録再生装置１は、記録装置として、デジタル放送信号のＡＶストリームを受信し、ＡＶストリーム中の映像・音声データをディスクＤに記録する。また、記録再生装置１は、再生装置として、ＡＶストリーム中の映像・音声データをディスクＤから再生して映像音声出力装置３に出力する。
【００２４】
記録再生装置１は、ブルーレイディスクＤのディスク記録再生装置１でもよく、セットトップボックスでもよい。記録再生装置１は、記録装置と再生装置が別体に設けられてもよい。また、映像音声出力装置３は、テレビ受像機でもよく、プロジェクタでもよく、映像出力装置と音声出力装置が別体に設けられてもよく、記録再生装置１と一体に設けられてもよい。
【００２５】
記録再生装置１は、３Ｄ映像コンテンツまたは２Ｄ映像コンテンツの映像データを含むＡＶストリームを受信する。ＡＶストリームには、３Ｄ映像コンテンツと２Ｄ映像コンテンツの間の切替えを指示する切替指示が含まれている。記録再生装置１は、受信したＡＶストリームを参照して切替指示を検出する。そして、記録再生装置１は、検出した切替指示に基づき、ＡＶストリームにおける３Ｄ映像コンテンツと２Ｄ映像コンテンツの間の切替えを示す切替情報を生成し、受信したＡＶストリームに関連付けてディスクＤに記録する。
【００２６】
また、記録再生装置１は、互いに関連付けて記録されているＡＶストリームと切替情報をディスクＤから読出す。記録再生装置１は、取得したＡＶストリームを再生する。ここで、記録再生装置１は、ＡＶストリームにおける３Ｄ映像コンテンツと２Ｄ映像コンテンツの間の切替えを示す切替情報に基づき、取得したＡＶストリームの再生を制御する。そして、記録再生装置１は、ＡＶストリームの再生映像・音声を映像音声出力装置３に出力する。
【００２７】
ディスクＤには、３Ｄ映像コンテンツと２Ｄ映像コンテンツの間の切替えを示す情報として、ＡＶストリームの記録時にＡＶストリームを参照して検出された切替情報が、ＡＶストリームに関連付けて記録されている。ディスクＤを記録再生装置１により再生することで、ＡＶストリーム中の映像データを参照せずに３次元映像コンテンツと２次元映像コンテンツを切替えた再生が可能となる。
【００２８】
図２は、図１に示した記録再生装置１の主要な構成を示している。記録再生装置１は、チューナ１１、復調器１３、デマルチプレクサ１５、ＢＤドライブ１７、映像デコーダ１９、音声デコーダ２１、映像切替部２３、切替指示検出部２５、ＣＰＵ２７、ＲＡＭ２９、ＲＯＭ３１、フラッシュメモリ３３、ＨＤドライブ３５および操作部３７を備える。操作部３７を除く構成要素は、バス３９に接続される。記録再生装置１には、チューナ１１を介してアンテナ４１が接続され、映像切替部２３および音声デコーダ２１を各々に介して映像音声出力装置３が接続される。
【００２９】
なお、図２に示す各構成要素は、回路等のハードウェアとして構成されてもよく、ＣＰＵ２７上で実行されるプログラム等のソフトウェアにより構成されてもよい。なお、プログラムは、コンピュータ読取り可能な記録媒体を用いて提供されてもよく、通信手段を介して提供されてもよい。
【００３０】
チューナ１１は、アンテナ４１を通じて受信されたデジタル放送信号から所定の放送信号を選択して復調器１３に供給する。復調器１３は、所定の放送信号をＡＶストリームに変換し、デマルチプレクサ１５に供給するとともに、切替指示検出部２５に供給する。チューナ１１および復調器１３は、映像ストリームを取得する取得部として機能する。デマルチプレクサ１５は、ＡＶストリームを映像データと音声データに分離する。ＡＶストリームは、ストリーム記録時には、復調器１３からＢＤドライブ１７に供給され、映像視聴時には、ＢＤドライブ１７からデマルチプレクサ１５に供給される。デマルチプレクサ１５は、記録されている映像ストリームを取得する取得部として機能する。
【００３１】
ＢＤドライブ１７は、ストリーム記録時には、復調器１３から供給されるＡＶストリームを後述するＢＤＡＶ（Ｂｌｕ−ｒａｙ  Ｄｉｓｃ  Ａｕｄｉｏ／Ｖｉｓｕａｌ）等のフォーマットに従って映像・音声データとしてＢＤ−Ｒ／ＲＥ規格等のディスクＤに書き込む。また、ＢＤドライブ１７は、ストリーム再生時には、映像・音声データをディスクＤから読み出し、デマルチプレクサ１５に供給する。ＢＤドライブ１７は、ＣＰＵ２７と協働して記録部および再生部として機能する。
【００３２】
映像デコーダ１９は、デマルチプレクサ１５から供給される映像データをデコードして映像信号を生成し、映像切替部２３に供給する。音声デコーダ２１は、デマルチプレクサ１５から供給される音声データをデコードして音声信号を生成し、映像音声出力装置３のスピーカ（不図示）に供給する。映像切替部２３は、映像デコーダ１９から供給される映像信号に対して、必要に応じて２Ｄ映像コンテンツと３Ｄ映像コンテンツの間の切替処理を実行し、映像音声出力装置３のディスプレイ（不図示）に供給する。
【００３３】
ＣＰＵ２７は、記録再生装置１の動作に必要な演算処理や制御を行う。ＣＰＵ２７は、ＲＯＭ３１等からプログラムを読出し、ＲＡＭ２９上に展開して実行する。ＣＰＵ２７は、後述するように、切替情報生成部および再生制御部としても機能し、記録されている切替情報を取得する取得部としても機能する。フラッシュメモリ３３は、不揮発性メモリとしてデータ等を記録する。ＨＤドライブ３５は、外部記憶装置としてデータ等を記録する。操作部３７は、記録再生装置１の動作を制御するための操作入力をユーザから受け付ける。
【００３４】
切替指示検出部２５は、ストリーム記録時に、復調器１３から供給されるＡＶストリームから切替指示を検出する。切替指示は、３Ｄ映像コンテンツと２Ｄ映像コンテンツの間の切替を指示する情報として、デジタル放送局に設置されたストリーム送出装置により、ＡＶストリーム中に埋め込まれて送出される。
【００３５】
切替指示検出部２５は、切替指示を検出すると、検出結果をＣＰＵ２７に通知する。ＣＰＵ２７は、切替指示とともに、切替時点を示す切替時点情報を取得する。切替時点情報は、ＡＶストリームのソースパケット番号やタイムスタンプの情報として、復調器１３または切替指示検出部２５から取得される。
【００３６】
ストリームの記録中、ＣＰＵ２７は、切替指示および切替時点情報をＲＡＭ２９や不図示のバッファ等に一時記憶する。ストリームの記録が終了すると、ＣＰＵ２７は、ＡＶストリームにおける全ての切替を指定する切替情報を生成する。切替情報は、ＢＤドライブ１７に供給され、後述するクリップ情報ファイル６５（再生制御情報）の一部として、ストリームファイル６７に関連付けて記録される。なお、ストリームの記録中、切替情報が逐次一時記憶されずに、クリップ情報ファイル６５の一部として記録されてもよい。
【００３７】
切替指示は、切替時点を指定するタイミング情報を含む。タイミング情報は、切替指示の検出時点から切替時点までの期間を示す相対情報でもよく、切替時点の時刻を示す絶対情報でもよい。
【００３８】
切替指示は、切替後のコンテンツ種別（３Ｄ映像コンテンツまたは２Ｄ映像コンテンツ）を指定するコンテンツ種別情報を含んでもよい。コンテンツ種別情報は、３Ｄ映像コンテンツまたは２Ｄ映像コンテンツを直接指定する情報でもよく、コンテンツ種別の切替えを指定する情報でもよい。なお、ストリームの受信開始時におけるコンテンツ種別が予め定められている場合、タイミング情報により切替え後のコンテンツ種別が特定可能であるので、コンテンツ種別の指定を省略することができる。
【００３９】
切替指示は、３Ｄ映像コンテンツの表示方式を指定する表示方式情報を含んでもよい。表示方式情報は、例えば、サイド・バイ・サイド方式、トップ・アンド・ボトム方式、インターリーブ方式等、３Ｄ映像コンテンツの表示方式を指定する情報である。なお、サイド・バイ・サイド方式では、視差を伴う２つの映像が画面の左右に並べて表示され、トップ・アンド・ボトム方式では、視差を伴う２つの映像が画面の上下に並べて表示され、インターリーブ方式では、視差を伴う２つの映像が交互に織り込んだ状態で並べて表示される。
【００４０】
また、表示方式情報は、３Ｄ映像コンテンツを２Ｄ映像コンテンツとして再生する場合に表示する映像（右目用映像または左目用映像）を指定する情報でもよい。なお、右目用映像および左目用映像とは、通常、３Ｄ映像コンテンツの再生において、視差を伴う映像として同時に表示される映像である。
【００４１】
ＢＤドライブ１７は、ストリーム記録時に、ＡＶストリームの映像・音声データと切替情報を互いに関連付けてディスクＤに書き込む。例えば、ＢＤ−ＲＥの映像記録規格であるＢＤＡＶフォーマットでは、映像・音声データのストリームファイル８７と、ストリームの属性情報ファイル（クリップ情報ファイル６５）が関連付けて記録される。
【００４２】
［２．ＢＤＡＶフォーマットへの適用］
つぎに、図３および図４を参照して、ＢＤレコーダ向けの記録規格であるＢＤＡＶフォーマットについて説明する。
【００４３】
図３は、ＢＤＡＶフォーマットのディレクトリ、ファイル構成を示している。ＢＤＡＶフォーマットの「ＢＤＡＶ」フォルダ５１には、記録コンテンツの再生制御情報のデータベースファイルと、記録コンテンツのＡＶストリームデータが区分して記録される。
【００４４】
データベースファイルとしては、管理情報ファイル「Ｉｎｆｏ．ｂｄａｖ」６１が記録され、さらに「ＰＬＡＹＬＩＳＴ」フォルダ５３および「ＣＬＩＰＩＮＦ」フォルダ５５が形成される。「ＰＬＡＹＬＩＳＴ」フォルダ５３には、１以上のプレイリストファイル６３（ｎｎｎｎｎ．ｒｐｌｓ）が記録され、「ＣＬＩＰＩＮＦ」フォルダ５５には、１以上のクリップ情報ファイル６５（ｎｎｎｎｎ．ｃｌｐｉ）が記録される。ＡＶストリームデータとしては、「ＳＴＲＥＡＭ」フォルダ５７が形成され、１以上のストリームファイル６７（ｎｎｎｎｎ．ｍ２ｔｓ）が記録される。なお、「ｎｎｎｎｎ」は、ＡＶストリーム毎に指定される任意の識別情報である。
【００４５】
図４は、ＢＤＡＶフォーマットのデータファイルの相関関係を示している。ＢＤＡＶフォーマットでは、映像・音声データのストリームファイル６７にクリップ情報ファイル６５が対応付けられ、クリップ情報ファイル６５にプレイリストファイル６３が対応付けられる。プレイリストファイル６３は、管理情報ファイル６１により管理される。
【００４６】
クリップ情報ファイル６５は、対応するストリームファイル６７のＡＶストリームの属性等を含んでいる。プレイリストファイル６３は、ストリームファイル６７中の所定のデータ区間（例えばＣＭコンテンツを除くデータ区間）として指定される１以上のプレイアイテムを含んでいる。
【００４７】
例えば、図４では、クリップ＃００００１により定義される２つのプレイアイテムからなるプレイリスト１、クリップ＃００００２により定義される２つのプレイアイテムからなるプレイリスト２、クリップ＃００００３により定義される１つのプレイアイテムからなるプレイリスト３が管理されている。
【００４８】
クリップ情報ファイル６５の詳細は、ＢＤＡＶフォーマットとして規格化されている。クリップ情報ファイル６５には、特定の利用目的を割当てられた複数のデータ領域とともに、ユーザ拡張領域が設けられている。ユーザ拡張領域には、記録再生装置１のメーカー毎に独自のデータを記録することができる。
【００４９】
切替情報は、例えば以下の書式に従って、映像データのストリームファイル６７毎に、ストリームファイル６７に対応するクリップ情報ファイル６５中のユーザ拡張領域に記録される。なお、以下の書式中、（１）から（６）は、説明の便宜上付された項目番号である。また、切替情報の記録書式は、以下の書式に限定されるものではない。
（１）２Ｄ＿３Ｄ＿ｓｅｑｕｅｎｃｅ（）｛
（２）  ｎｕｍｂｅｒ＿ｏｆ＿２Ｄ＿３Ｄ＿ｓｅｑｕｅｎｃｅ
（３）    ｆｏｒ（ｉ＝０；ｉ＜ｎｕｍｂｅｒ＿ｏｆ＿２Ｄ＿３Ｄ＿ｓｅｑｕｅｎｃｅ；ｉ＋＋）｛
（４）      ｉｓ＿３ｄ＿ａｒｅａ
（５）      ｒｅｓｅｒｖｅｄ
（６）      ｓｔａｒｔ＿ｓｏｕｒｃｅ＿ｐａｃｋｅｔ＿ｎｕｍｂｅｒ
｝
｝
【００５０】
項目（１）は、切替情報の記録を定義するためのヘッダ情報である。項目（２）は、ＡＶストリームにおけるコンテンツ種別間の切替回数を示す情報である。項目（３）は、コンテンツ種別の切替毎に項目（４）から項目（６）を定義するための情報である。
【００５１】
項目（４）は、切替後のコンテンツ種別（３Ｄ映像コンテンツまたは２Ｄ映像コンテンツ）を示す情報（コンテンツ種別情報）であり、例えば３Ｄ映像コンテンツを「０」、２Ｄ映像コンテンツを「１」として指定するフラグ情報である。項目（５）は、例えば前述した３Ｄ映像の表示方式を指定するために用いられる情報、３Ｄ映像を２Ｄ映像として再生する場合の表示方式を指定するために用いられる情報（表示方式情報）等、予備的な情報である。項目（６）は、切替時点を指定する情報（切替時点情報）であり、切替時点のソースパケット番号等が指定される。ここで、項目（２）、（４）、（５）、（６）は、例えば、１６ビット、１ビット、７ビット、３２ビットの情報として各々に記録される。
【００５２】
［３．記録再生方法の手順］
つぎに、図５を参照して、本発明の一実施形態に係る記録再生方法の手順について説明する。
【００５３】
図５に示すように、ストリーム記録時において、復調器１３は、ＡＶストリームを切替指示検出部２５およびＢＤレコーダに供給する（ステップＳ１１）。切替指示検出部２５は、ＡＶストリームから切替指示を検出し（Ｓ１３）、ＣＰＵ２７（切替情報生成部）は、検出された切替指示に基づき、映像ストリーム中における３Ｄ映像コンテンツと２Ｄ映像コンテンツの間の切替えを示す切替情報を再生制御情報として生成する（Ｓ１５）。ＢＤレコーダは、ＡＶストリーム中の映像・音声データに関連付けて切替情報をディスクＤに書き込む（Ｓ１７）。
【００５４】
ストリーム再生時において、ＣＰＵ２７は、映像・音声データと切替情報をＢＤレコーダから読み出す（Ｓ２１）。切替情報は、再生制御情報としてＡＶストリームの再生前に読み出される。そして、ＣＰＵ２７は、切替情報に基づき、映像・音声データの再生を制御する（Ｓ２３）。映像デコーダ１９および音声デコーダ２１は、ＣＰＵ２７の制御下で、映像・音声データを再生する（Ｓ２５）。
【００５５】
ストリーム再生において、ＣＰＵ２７（再生制御部）は、切替時点情報およびコンテンツ種別情報を用いて、所定のタイミングで３Ｄ映像コンテンツと２Ｄ映像コンテンツの間で、再生するコンテンツ種別を切替えるように映像切替部２３を制御する。
【００５６】
この場合、ＣＰＵ２７は、３Ｄ映像コンテンツの視聴に必要な準備を事前に促すための通知をユーザに行うことができる。なお、通知は、例えば「○○秒後に３Ｄ映像に切替わるので、３Ｄ映像観賞用眼鏡を準備してください。」等の表示ガイダンスでもよく、同様の音声ガイダンスでもよい。通知は、ＣＰＵ２７により生成され、映像音声出力装置３を通じて出力される。
【００５７】
また、ＣＰＵ２７は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）の再認証処理等、３Ｄ映像コンテンツの再生に必要な制御を事前に行うことができる。ここで、ＨＤＭＩの再認証処理中は、映像を表示することができなくなり、コンテンツ種別が事前に判別できない場合も同様の問題が生じる。しかし、切替情報に基づき３Ｄ映像コンテンツの再生に必要な制御を事前に行うことで、このような問題を解消することができる。
【００５８】
また、ＣＰＵ２７は、２Ｄ映像コンテンツから３Ｄ映像コンテンツに切替える場合に、３Ｄ映像コンテンツの表示方式を指定する表示方式情報を用いて、所定の表示方式で３Ｄ映像コンテンツを再生することができる。３Ｄ映像コンテンツは、例えば、サイド・バイ・サイド方式、トップ・アンド・ボトム方式、インターリーブ方式等の表示方式で再生される。また、３Ｄ映像コンテンツを２Ｄ映像コンテンツとして再生する場合、３Ｄ映像コンテンツは、右目用映像または左目用映像のうち指定された映像として再生することができる。
【００５９】
また、ＣＰＵ２７は、切替時点情報およびコンテンツ種別情報を用いて、ＡＶストリーム中の３Ｄ映像コンテンツまたは２Ｄ映像コンテンツのみを再生することができる。この場合、再生するコンテンツ種別は、ユーザにより指定されてもよく、記録再生装置１により自動的に設定されてもよい。これにより、ユーザは、ＡＶストリームの再生中に３Ｄ映像観賞用眼鏡をつけ外しする必要性から解放される。
【００６０】
また、ＣＰＵ２７は、同様に、ＡＶストリーム中のコンテンツ種別毎の再生時間の比率に基づき、３Ｄ映像コンテンツまたは２Ｄ映像コンテンツのみを自動的に再生することができる。この場合、２Ｄ映像コンテンツの比率が高ければ、右目用映像または左目用映像を用いてＡＶストリーム全体を２Ｄ映像コンテンツとして再生し、３Ｄ映像コンテンツの比率が高ければ、擬似３Ｄ映像を用いてＡＶストリーム全体を３Ｄ映像コンテンツとして再生してもよい。
【００６１】
これにより、ユーザは、ＡＶストリームの再生中に３Ｄ映像観賞用眼鏡をつけ外しする必要性から解放される。また、ユーザは、再生するコンテンツ種別を指定しなくても、ＡＶストリーム毎に最適なコンテンツ種別で映像を再生することができる。
【００６２】
以上説明したように、本発明の一実施形態に係る記録再生装置１によれば、映像ストリームの記録時に、映像ストリーム中における３Ｄ映像コンテンツと２Ｄ映像コンテンツの間の切替えを示す切替情報が映像ストリームに関連付けて記録される。ここで、切替情報は、映像ストリーム中の映像データを参照せずに３Ｄ映像コンテンツと２Ｄ映像コンテンツを切替えた再生が可能となるように、映像ストリームの再生制御情報として記録される。そして、映像ストリームの再生時に、互いに関連付けて記録されている映像ストリームと切替情報が記録装置から取得され、映像ストリームの再生が制御される。
【００６３】
これにより、映像ストリームの再生前に３Ｄ映像コンテンツまたは２Ｄ映像コンテンツを判別することが可能となる。よって、映像ストリームの再生前において、再生装置は、３Ｄ映像コンテンツの再生に必要な制御を事前に行うことができ、ユーザは、３Ｄ映像コンテンツの視聴に必要な準備を事前に行うことができる。
【００６４】
［４．ＡＶＣＨＤフォーマットへの適用］
上記説明では、本発明がＢＤレコーダ向けの記録規格であるＢＤＡＶフォーマットに適用される場合について説明した。しかし、本発明は、ビデオカメラ向けの動画記録規格であるＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）フォーマットに適用されてもよい。つぎに、図６および図７を参照して、ＡＶＣＨＤフォーマットについて説明する。
【００６５】
図６は、ＡＶＣＨＤフォーマットのディレクトリ、ファイル構成を示している。ＡＶＣＨＤフォーマットの「ＢＤＭＶ」フォルダ７１には、記録コンテンツの再生制御情報のデータベースファイルと、記録コンテンツのＡＶストリームデータが区分して記録される。
【００６６】
データベースファイルとしては、インデックスファイル８１「Ｉｎｄｅｘ．ｂｄｍｖ」および動画オブジェクトファイル８２「ＭｏｖｉｅＯｂｊｅｃｔ．ｂｄｍｖ」が記録され、さらに「ＰＬＡＹＬＩＳＴ」フォルダ７３および「ＣＬＩＰＩＮＦ」フォルダ７５が形成される。「ＰＬＡＹＬＩＳＴ」フォルダ７３には、１以上のプレイリストファイル８３（ｎｎｎｎｎ．ｍｐｌｓ）が記録され、「ＣＬＩＰＩＮＦ」フォルダ７５には、１以上のクリップ情報ファイル８５（ｎｎｎｎｎ．ｃｌｐｉ）が記録される。ストリームデータとしては、「ＳＴＲＥＡＭ」フォルダ７７が形成され、１以上のストリームファイル８７（ｎｎｎｎｎ．ｍ２ｔｓ）が記録される。なお、「ｎｎｎｎｎ」は、ＡＶストリーム毎に指定される任意の識別情報である。
【００６７】
図７は、ＡＶＣＨＤフォーマットのデータファイルの相関関係を示している。ＡＶＣＨＤフォーマットでは、動画データのストリームファイル８７にクリップ情報ファイル８５が対応付けられ、クリップ情報ファイル８５にプレイリストファイル８３が対応付けられる。プレイリストファイル８３は、インデックスファイル８１および動画オブジェクトファイル８２により管理される。
【００６８】
クリップ情報ファイル８５は、対応するストリームファイル８７のＡＶストリームの属性等を含んでいる。プレイリストファイル８７は、ストリームファイル８７中の所定の動画データ区間（例えば特定の記録シーンに対応する動画データ区間）として指定される１以上のプレイアイテムを含んでいる。
【００６９】
例えば、図７では、クリップ＃００００１により定義されるプレイアイテム＃０とクリップ＃００１２５により定義されるプレイアイテム＃１からなるプレイリスト＃０００００が、タイトル１を付与された動画オブジェクト＃０として管理されている。また、クリップ＃０００２８により定義されるプレイアイテム＃０とクリップ＃００００２により定義されるプレイアイテム＃１からなるプレイリスト＃００００５が、タイトル＃４を付与された動画オブジェクト＃３として管理されている。
【００７０】
動画オブジェクト＃０から＃２は、ストリームファイル８７単位の動画データを用いたリアルプレイリストとして形成される。一方、動画オブジェクト＃３は、ストリームファイル８７単位の動画データの一部を用いた仮想プレイリストとして形成される。
【００７１】
ＡＶストリーム記録時において、ビデオカメラは、３Ｄ映像コンテンツと２Ｄ映像コンテンツの間の切替を指示する切替情報を埋め込まれたＡＶストリームを生成する。ビデオカメラでは、ＡＶストリームから切替指示が検出され、ＡＶストリームにおける３Ｄ映像コンテンツと２Ｄ映像コンテンツの間の切替えを示す切替情報がクリップ情報ファイル８５の一部として生成される。そして、ＡＶストリーム中の映像・音声データに関連付けて切替情報がディスクＤに書き込まれる。
【００７２】
ＡＶストリーム再生時において、ビデオカメラでは、映像・音声データとともに、クリップ情報ファイル８５の一部として切替情報がディスクＤから読み出され、切替情報に基づき、映像・音声データの再生が制御される。そして、所定のタイミングで３Ｄ映像コンテンツと２Ｄ映像コンテンツの間で、再生するコンテンツ種別を切替えるように、映像・音声データの再生が制御される。なお、ＡＶストリーム再生時における再生制御方法については、ＢＤＡＶフォーマットの場合と同様に説明することができる。
【００７３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７４】
例えば上記説明では、記録再生装置１上でディスクＤに対する記録再生処理を行う場合について説明した。しかし、記録装置上でディスクＤに対して記録処理を行い、記録装置と別体に設けられた再生装置上でディスクＤに対して再生処理を行う場合についても同様に説明することができる。
【００７５】
また、上記説明では、ＡＶストリームおよびＡＶストリームに関連付けた切替情報をデータとしてディスクＤに記録し、再生利用する場合について説明した。しかし、同様なデータは、ディスクＤに記録して再生利用する代わりに、通信手段を用いて伝送して再生利用されてもよい。
【符号の説明】
【００７６】
１    記録再生装置
３    映像音声出力装置
Ｄ    ディスク
１１    チューナ
１３    復調器
１５    デマルチプレクサ
１７    ＢＤドライブ
１９    映像デコーダ
２１    音声デコーダ
２３    映像切替部
２５    切替指示検出部
２７    ＣＰＵ（切替情報生成部、再生制御部）
【図１】
2011254239.tif 000003
【図２】
2011254239.tif 000004
【図３】
2011254239.tif 000005
【図４】
2011254239.tif 000006
【図５】
2011254239.tif 000007
【図６】
2011254239.tif 000008
【図７】
2011254239.tif 000009